(57)【要約】【課題】ＷＤＭ信号を伝送する光伝送システムにおいて、光信号断時に適切に安全制御を実行できるようにする。【解決手段】第１の光伝送装置は、光信号断を検出すると、第２の光伝送装置への光出力を停止し、ネットワーク制御装置に通知を行う。第２の光伝送装置は、光信号断を検出すると、第１の光伝送装置への光出力を停止し、ネットワーク制御装置に通知を行う。ネットワーク制御装置からの指示に応じて、第１および第２の光伝送装置は、それぞれ制御信号の送信を再開する。第２の光伝送装置は、制御信号の受信をネットワーク制御装置に通知する。ファイバ復旧後、第１の光伝送装置は、制御信号の受信をネットワーク制御装置に通知する。ネットワーク制御装置からの指示に応じて、第１および第２の光伝送装置は、それぞれＷＤＭ信号の送信を再開する。【選択図】図５
2020088547.tif 000002
【特許請求の範囲】
【請求項１】
ネットワーク制御装置に接続され、相互に制御信号および主信号を送受信する第１の光伝送装置と第２の光伝送装置と、を備える光伝送システムであって、
前記第１の光伝送装置は、光信号断を検出すると、前記第２の光伝送装置への光出力を停止すると共に、前記ネットワーク制御装置に第１の通知を行い、
前記第２の光伝送装置は、光信号断を検出すると、前記第１の光伝送装置への光出力を停止すると共に、前記ネットワーク制御装置に第２の通知を行い、
前記ネットワーク制御装置は、前記第１の通知および前記第２の通知を受けると、前記第１の光伝送装置および前記第２の光伝送装置に、制御信号の送信を再開させる第１の指示をそれぞれ通知すると共に、前記第１の光伝送装置および前記第２の光伝送装置から制御信号の送信が再開された通知を受けた後に、前記第１の光伝送装置および前記第２の光伝送装置に、主信号の送信を再開させる第２の指示をそれぞれ通知し、
前記第１の光伝送装置および前記第２の光伝送装置は、前記ネットワーク制御装置から受信した前記第１の指示に応じて、それぞれ制御信号の送信を再開すると共に、前記ネットワーク制御装置から受信した前記第２の指示に応じて、それぞれ主信号の送信を再開する
ことを特徴とする光伝送システム。
【請求項２】
前記制御信号は、前記主信号の波長帯の外に配置されている
ことを特徴とする請求項１に記載の光伝送システム。
【請求項３】
前記第１の光伝送装置は、
第１の主信号を送信する第１の送信部と、
第１の制御信号を送信する第１の制御信号送信部と、
前記第２の光伝送装置から受信する主信号のパワーをモニタする第１の光モニタと、
前記第２の光伝送装置から受信する制御信号をモニタする第１の制御信号モニタと、
前記第１の送信部および前記第１の制御信号送信部を制御する第１の制御部と、を含み、
前記第２の光伝送装置は、
第２の主信号を送信する第２の送信部と、
第２の制御信号を送信する第２の制御信号送信部と、
前記第１の光伝送装置から受信する主信号のパワーをモニタする第２の光モニタと、
前記第１の光伝送装置から受信する制御信号をモニタする第２の制御信号モニタと、
前記第２の送信部および前記第２の制御信号送信部を制御する第２の制御部と、を含み、
前記第１の光伝送装置と前記第２の光伝送装置との間には、前記第１の光伝送装置から前記第２の光伝送装置に前記第１の主信号および前記第１の制御信号を伝送する第１の光ファイバ、および前記第２の光伝送装置から前記第１の光伝送装置に前記第２の主信号および前記第２の制御信号を伝送する第２の光ファイバが設けられ、
前記第１の光モニタによりモニタされる前記第２の主信号のパワーが所定の閾値より低く、且つ、前記第１の制御信号モニタにより前記第２の制御信号が検出されないときは、前記第１の送信部は前記第１の主信号の送信を停止し、前記第１の制御信号送信部は前記第１の制御信号の送信を停止し、前記第１の制御部は前記第１の通知を前記ネットワーク制御装置に送信し、
前記第２の光モニタによりモニタされる前記第１の主信号のパワーが所定の閾値より低く、且つ、前記第２の制御信号モニタにより前記第１の制御信号が検出されないときは、前記第２の送信部は前記第２の主信号の送信を停止し、前記第２の制御信号送信部は前記第２の制御信号の送信を停止し、前記第２の制御部は前記第２の通知を前記ネットワーク制御装置に送信し、
前記ネットワーク制御装置は、前記第１の通知および前記第２の通知を受信すると、前記第１の光伝送装置および前記第２の光伝送装置に前記第１の指示を送信し、
前記第１の光伝送装置が前記第１の指示を受信すると、前記第１の制御信号送信部は前記第１の制御信号の送信を再開し、
前記第２の光伝送装置が前記第１の指示を受信すると、前記第２の制御信号送信部は前記第２の制御信号の送信を再開し、
前記第１の制御信号モニタが前記第２の制御信号を検出すると、前記第１の制御部は第３の通知を前記ネットワーク制御装置に送信し、
前記第２の制御信号モニタが前記第１の制御信号を検出すると、前記第２の制御部は第４の通知を前記ネットワーク制御装置に送信し、
前記ネットワーク制御装置は、前記第３の通知および前記第４の通知を受信すると、前記第１の光伝送装置および前記第２の光伝送装置に前記第２の指示を送信し、
前記第１の光伝送装置が前記第２の指示を受信すると、前記第１の送信部は前記第１の主信号の送信を再開し、
前記第２の光伝送装置が前記第２の指示を受信すると、前記第２の送信部は前記第２の主信号の送信を再開する
ことを特徴とする請求項１に記載の光伝送システム。
【請求項４】
前記第２の光ファイバの障害に起因して、前記第１の光モニタによりモニタされる前記第２の主信号のパワーが所定の閾値より低くなり、且つ、前記第１の制御信号モニタにより前記第２の制御信号が検出されなくなったときに、前記第１の送信部は前記第１の主信号の送信を停止し、前記第１の制御信号送信部は前記第１の制御信号の送信を停止し、前記第１の制御部は前記第１の通知を前記ネットワーク制御装置に送信する
ことを特徴とする請求項３に記載の光伝送システム。
【請求項５】
相互に制御信号および主信号を送受信する第１の光伝送装置および第２の光伝送装置に接続するネットワーク制御装置であって、
前記第１の光伝送装置において前記第１の光伝送装置と前記第２の光伝送装置との間の光信号断が検出されたことに起因して前記第１の光伝送装置から送信される第１の通知を受信し、且つ、前記第２の光伝送装置において前記第１の光伝送装置と前記第２の光伝送装置との間の光信号断が検出されたことに起因して前記第２の光伝送装置から送信される第２の通知を受信したときに、制御信号の送信を再開させる第１の指示を前記第１の光伝送装置および前記第２の光伝送装置に送信する第１の制御部と、
前記第１の制御部が前記第１の指示を前記第１の光伝送装置および前記第２の光伝送装置に送信した後に、前記第１の光伝送装置が前記第２の光伝送装置から制御信号を受信したことに起因して前記第１の光伝送装置から送信される第３の通知を受信し、且つ、前記第２の光伝送装置が前記第１の光伝送装置から制御信号を受信したことに起因して前記第２の光伝送装置から送信される第４の通知を受信したときに、主信号の送信を再開させる第２の指示を前記第１の光伝送装置および前記第２の光伝送装置に送信する第２の制御部と、
を備えるネットワーク制御装置。
【請求項６】
対向光伝送装置との間で主信号および制御信号を双方向に送受信する光伝送装置であって、
主信号を送信する送信部と、
制御信号を送信する制御信号送信部と、
対向光伝送装置から送信される光信号をモニタするモニタ部と、
前記送信部および前記制御信号送信部を制御する制御部と、を備え、
前記モニタ部が光信号断を検出すると、前記送信部は前記主信号の送信を停止し、前記制御信号送信部は前記制御信号の送信を停止し、前記制御部は、光入力の停止を表すシャットダウン通知をネットワーク制御装置に送信し、
前記ネットワーク制御装置が前記光伝送装置および前記対向光伝送装置の双方からシャットダウン通知を受信したときに前記ネットワーク制御装置により生成される第１の指示を前記光伝送装置が受信したときに、前記制御信号送信部は前記制御信号の送信を再開し、
前記モニタ部が前記対向光伝送装置から送信される制御信号を検出すると、前記制御部は、制御信号の検出を表す検出通知を前記ネットワーク制御装置に送信し、
前記ネットワーク制御装置が前記光伝送装置および前記対向光伝送装置の双方から検出通知を受信したときに前記ネットワーク制御装置により生成される第２の指示を前記光伝送装置が受信したときに、前記送信部は前記主信号の送信を再開する
ことを特徴とする光伝送装置。
【発明の詳細な説明】
【技術分野】
【０００１】
本発明は、光伝送システム、光伝送装置、ネットワーク制御装置、および光伝送方法に係わる。
【背景技術】
【０００２】
大容量通信を実現するためにＷＤＭ（Wavelength Division Multiplexing）が普及している。ＷＤＭでは、波長の異なる複数のチャネルが多重化される。ＷＤＭ伝送システムの各ノードには、ＲＯＡＤＭ（Reconfigurable Optical Add-Drop Multiplexer）が実装される。ＲＯＡＤＭは、ＷＤＭ信号から所望の波長の光信号を分岐できる。また、ＲＯＡＤＭは、ＷＤＭ信号の空チャネルに光信号を挿入できる。なお、ＷＤＭ伝送システムのノード間において双方向にＷＤＭ信号が伝送される。
【０００３】
ＷＤＭ伝送システムにおいて、安全光制御が行われることがある。例えば、図１（ａ）に示すＷＤＭ伝送システムにおいて、ＲＯＡＤＭ＃１からＲＯＡＤＭ＃２に光信号を伝送する光ファイバがＲＯＡＤＭ＃２の入力ポートから抜けてしまうケースを想定する。この場合、この光ファイバから出力される光がユーザまたはメンテナンスの作業者に照射されるおそれがある。よって、ＲＯＡＤＭ＃１から送信されるＷＤＭ信号を停止する安全光制御（例えば、自動パワーシャットダウン（ＡＰＳＤ：Automatic Power Shut Down））が行われる。
【０００４】
図１（ａ）に示すケースでは、ＲＯＡＤＭ＃２において受信パワーがゼロになるので、ＲＯＡＤＭ＃２は、ＷＤＭ信号を増幅するための光アンプを停止することでＷＤＭ信号の送信を停止する。また、ＲＯＡＤＭ＃２は、ＯＳＣ（Optical Supervisory Channel）を利用したノード間通信により、ＲＯＡＤＭ＃１にＡＰＳＤリクエストメッセージを送信する。なお、ＯＳＣは、監視制御信号を伝送するチャネルの１つであり、ＷＤＭ信号の波長帯域の外に配置される。そして、ＲＯＡＤＭ＃１は、ＡＰＳＤリクエストメッセージを受信すると、ＲＯＡＤＭ＃２へのＷＤＭ信号の送信を停止する。この結果、上述の光ファイバを介してＷＤＭ信号が出力されなくなる。
【０００５】
ところで、近年、ＲＯＡＤＭ間を柔軟に接続するために、Open ROADMと呼ばれる通信規格が提案されている。但し、Open ROADMにおいては、ノード間通信のためにＯＳＣを使用することは認められてない。よって、Open ROADMを採用するＷＤＭ伝送システムでは、自動パワーシャットダウン等の安全光制御は、Ethernet（登録商標）のLinkDown警報を用いて実現される。
【０００６】
例えば、図１（ａ）に示す例と同様に、ＲＯＡＤＭ＃１からＲＯＡＤＭ＃２に光信号を伝送する光ファイバがＲＯＡＤＭ＃２の入力ポートから抜けると、ＲＯＡＤＭ＃２はＲＯＡＤＭ＃１へのＷＤＭ信号の送信を停止する。この場合、図１（ｂ）に示すように、ＲＯＡＤＭ＃１とＲＯＡＤＭ＃２との間でネゴシエーション（例えば、AutoNegotiation）が完了しないので、ＲＯＡＤＭ＃１にLinkDown警報が通知される。そうすると、ＲＯＡＤＭ＃１は、ＲＯＡＤＭ＃２へのＷＤＭ信号の送信を停止する。この結果、上述の光ファイバを介してＷＤＭ信号が出力されなくなる。
【０００７】
なお、障害を修復している作業者にＷＤＭ光が照射される可能性を回避する光レベル制御方法が提案されている（例えば、特許文献１）。
【先行技術文献】
【特許文献】
【０００８】
【特許文献１】特開２００２−０７７０５６号公報
【発明の概要】
【発明が解決しようとする課題】
【０００９】
上述したように、Open ROADMを採用するＷＤＭ伝送システムにおいては、ＲＯＡＤＭ間でのネゴシエーション（ここでは、AutoNegotiation）を利用して安全光制御が実現される。ここで、１ＧＥ等の新しい通信方式は、AutoNegotiationをサポートしている。ところが、１００ＭＥ等の既存の通信方式は、AutoNegotiationをサポートしていないことがある。このため、Open ROADMを採用する従来のＷＤＭ伝送システムにおいては、自動パワーシャットダウン（ＡＰＳＤ）などの安全光制御を行えないことがある。
【００１０】
本発明の１つの側面に係わる目的は、ＷＤＭ信号を伝送する光伝送システムにおいて、光信号断時に適切に安全制御を実行できるようにすることである。
【課題を解決するための手段】
【００１１】
本発明の１つの態様の光伝送システムは、相互に制御信号および主信号を送受信する第１の光伝送装置と第２の光伝送装置と、を備える。第１の光伝送装置および第２の光伝送装置は、ネットワーク制御装置に接続される。前記第１の光伝送装置は、光信号断を検出すると、前記第２の光伝送装置への光出力を停止すると共に、前記ネットワーク制御装置に第１の通知を行う。前記第２の光伝送装置は、光信号断を検出すると、前記第１の光伝送装置への光出力を停止すると共に、前記ネットワーク制御装置に第２の通知を行う。前記ネットワーク制御装置は、前記第１の通知および前記第２の通知を受けると、前記第１の光伝送装置および前記第２の光伝送装置に、制御信号の送信を再開させる第１の指示をそれぞれ通知すると共に、前記第１の光伝送装置および前記第２の光伝送装置から制御信号の送信が再開された通知を受けた後に、前記第１の光伝送装置および前記第２の光伝送装置に、主信号の送信を再開させる第２の指示をそれぞれ通知する。前記第１の光伝送装置および前記第２の光伝送装置は、前記ネットワーク制御装置から受信した前記第１の指示に応じて、それぞれ制御信号の送信を再開すると共に、前記ネットワーク制御装置から受信した前記第２の指示に応じて、それぞれ主信号の送信を再開する。
【発明の効果】
【００１２】
上述の態様によれば、ＷＤＭ信号を伝送する光伝送システムにおいて、光信号断時に適切に安全制御を実行できる。
【図面の簡単な説明】
【００１３】
【図１】従来技術による自動パワーシャットダウンの例を示す図である。
【図２】光伝送システムの一例を示す図である。
【図３】ＷＤＭ信号およびＯＳＣ信号の配置の一例を示す図である。
【図４】本発明の実施形態に係わる自動パワーシャットダウンの一例を示す図（その１）である。
【図５】本発明の実施形態に係わる自動パワーシャットダウンの一例を示す図（その２）である。
【図６】（ａ）は、ＷＤＭ伝送装置の状態遷移の一例を示す図であり、（ｂ）は、ネットワーク制御装置の状態遷移の一例を示す図である。
【図７】ネットワーク制御装置およびＷＤＭ伝送装置の構成の一例を示す図である。
【図８】ＷＤＭ伝送装置およびネットワーク制御装置に実装される制御部のハードウェア構成の一例を示す図である。
【図９】ファイバ断検出処理の一例を示すフローチャートである。
【図１０】シャットダウンに係わるＷＤＭ伝送装置の状態遷移の一例を示す図である。
【図１１】ＷＤＭ伝送装置の状態をネットワーク制御装置に通知する方法の一例を示すフローチャートである。
【図１２】シャットダウンに係わるネットワーク制御装置の状態遷移の一例を示す図である。
【図１３】ＷＤＭ伝送装置およびネットワーク制御装置の機能ブロックの一例を示す図である。
【図１４】ファイバ断が発生したときのシーケンスを示すフローチャートである。
【図１５】光ファイバが復旧したときのシーケンスを示すフローチャートである。
【図１６】ＷＤＭ伝送装置とネットワーク制御装置との間の接続の一例を示す図である。
【発明を実施するための形態】
【００１４】
図２は、本発明の実施形態に係わる光伝送システムの一例を示す。本発明の実施形態に係わる光伝送システム１０００は、図２に示すように、ＷＤＭ伝送装置１００、ＷＤＭ伝送装置２００、ネットワーク制御装置３００を含む。なお、図２に示す例では、光伝送システム１０００は、２台のＷＤＭ伝送装置（１００、２００）を備えているが、実際には３台以上のＷＤＭ伝送装置を備える。
【００１５】
ＷＤＭ伝送装置１００、２００は、それぞれ、ＷＤＭ信号を伝送する光伝送装置（例えば、ＲＯＡＤＭ）の一例である。ＷＤＭ伝送装置１００、２００間には、ＷＤＭ伝送装置１００からＷＤＭ伝送装置２００に光を伝搬する光ファイバ１０およびＷＤＭ伝送装置２００からＷＤＭ伝送装置１００に光を伝搬する光ファイバ２０が設けられている。すなわち、ＷＤＭ伝送装置１００、２００は、双方向にＷＤＭ信号を伝送することができる。なお、ＷＤＭ信号は、ＷＤＭ伝送装置１００、２００間で双方向に伝送される主信号の一例である。
【００１６】
ＷＤＭ伝送装置１００は、ＯＳＣ信号をＷＤＭ伝送装置２００に送信できる。また、ＷＤＭ伝送装置２００は、ＯＳＣ信号をＷＤＭ伝送装置１００に送信できる。なお、ＯＳＣ信号は、監視信号および／または制御情報を運ぶ制御信号の一例である。
【００１７】
ＷＤＭ信号およびＯＳＣ信号は、合波されて伝送される。ここで、ＯＳＣ信号は、図３に示すように、ＷＤＭ信号の信号帯域の外に配置されている。したがって、ＷＤＭ伝送装置１００、２００は、光フィルタを用いてＷＤＭ信号とＯＳＣ信号とを容易に分離することができる。
【００１８】
ネットワーク制御装置３００は、ＷＤＭ伝送装置１００、２００を制御する。例えば、ネットワーク制御装置３００は、ＷＤＭ伝送装置１００、２００を制御することで波長パスの設定、削除、変更を実現する。また、ネットワーク制御装置３００は、ＷＤＭ伝送装置１００、２００のための安全光制御を実現する。この例では、安全光制御として、自動パワーシャットダウン（ＡＰＳＤ：Automatic Power Shut Down）が実行される。なお、ネットワーク制御装置３００は、例えば、ＳＤＮ（Software Defined Network）コントローラにより実現される。
【００１９】
図４〜図５は、本発明の実施形態に係わる自動パワーシャットダウンの一例を示す。なお、光伝送システムは、図２に示す例と同様に、ＷＤＭ伝送装置１００、ＷＤＭ伝送装置２００、ネットワーク制御装置３００を含む。ＷＤＭ伝送装置１００は、光ファイバ１０を介してＷＤＭ信号およびＯＳＣ信号をＷＤＭ伝送装置２００に送信する。ＷＤＭ伝送装置２００は、光ファイバ２０を介してＷＤＭ信号およびＯＳＣ信号をＷＤＭ伝送装置１００に送信する。
【００２０】
図４（ａ）に示すように、光ファイバ２０がＷＤＭ伝送装置１００の入力ポートから抜けるものとする。この場合、光ファイバ２０の端部からＷＤＭ信号およびＯＳＣ信号が出力される。なお、この実施例では、光ファイバがＷＤＭ伝送装置１００の光ポートから抜けるケースを想定するが、他の要因によってＷＤＭ伝送装置２００からＷＤＭ伝送装置１００に光が届かない場合にも図４〜図５の処理は適用され得る。例えば、光ファイバ２０が切断されるケースにおいても、図４〜図５の処理は適用され得る。以下の記載では、光ファイバの障害（ファイバ抜けを含む）に起因してＷＤＭ伝送装置間で光が伝送できなくなる状態を「ファイバ断」と呼ぶことがある。
【００２１】
光ファイバ２０がＷＤＭ伝送装置１００の入力ポートから抜けると、ＷＤＭ伝送装置１００において、ＷＤＭ信号の受信パワーが所定の閾値より低くなる。閾値は、たとえば、１つの波長チャネルを介して伝送される光信号の最小受信パワーより低い値であることが好ましい。そして、ＷＤＭ信号の受信パワーが閾値より低くなると、ＷＤＭ伝送装置１００は、図４（ｂ）に示すように、ＷＤＭ信号およびＯＳＣ信号の送信を停止する。このとき、ＷＤＭ伝送装置１００は、ファイバ断が発生したと判定してもよい。また、ＷＤＭ伝送装置１００は、シャットダウン状態を表す通知（以下、「ＡＰＳＤ通知」と呼ぶことがある。）をネットワーク制御装置３００に送信する。
【００２２】
なお、この例では、ＷＤＭ信号の受信パワーが所定の閾値より低いときにＷＤＭ信号およびＯＳＣ信号の送信が停止されるが、本発明はこの手順に限定されるものではない。例えば、ＷＤＭ信号の受信パワーが所定の閾値より低く、且つ、ＯＳＣ信号が検出されないときに、ＷＤＭ伝送装置は、ＷＤＭ信号およびＯＳＣ信号の送信を停止してもよい。
【００２３】
また、以下の記載では、WDM伝送装置において、ＷＤＭ信号の受信パワーが所定の閾値より低い状態を「光信号断」と呼ぶことがある。或いは、WDM伝送装置において、ＷＤＭ信号の受信パワーが所定の閾値より低く、且つ、ＯＳＣ信号が検出されない状態を「光信号断」と呼ぶことがある。
【００２４】
ＷＤＭ伝送装置１００がＷＤＭ信号およびＯＳＣ信号の送信を停止すると、ＷＤＭ伝送装置２００において、ＷＤＭ信号の受信パワーが閾値より低くなる。そして、ＷＤＭ信号の受信パワーが閾値より低くなると、ＷＤＭ伝送装置２００は、図４（ｃ）に示すように、ＷＤＭ信号およびＯＳＣ信号の送信を停止する。このとき、ＷＤＭ伝送装置２００は、ファイバ断が発生したと判定してもよい。また、ＷＤＭ伝送装置２００は、ＡＰＳＤ通知をネットワーク制御装置３００に送信する。
【００２５】
ネットワーク制御装置３００は、ＷＤＭ伝送装置１００、２００の双方からＡＰＳＤ通知を受信すると、図４（ｄ）に示すように、ＯＳＣ信号の送信を再開させる指示（以下、「ＯＳＣ再開指示」と呼ぶことがある。）をＷＤＭ伝送装置１００、２００に送信する。そうすると、ＷＤＭ伝送装置１００はＷＤＭ伝送装置２００にＯＳＣ信号を送信し、ＷＤＭ伝送装置２００はＷＤＭ伝送装置１００にＯＳＣ信号を送信する。
【００２６】
なお、ＷＤＭ伝送装置２００がＯＳＣ信号の送信を再開すると、光ファイバ２０の端部からＯＳＣ信号が出力されることになる。ただし、ＷＤＭ信号と比較すると、ＯＳＣ信号の光パワーは十分に低い。したがって、光ファイバ２０の端部からＯＳＣ信号が出力されても、問題は生じない。
【００２７】
ＷＤＭ伝送装置１００から送信されるＯＳＣ信号は、光ファイバ１０を介して伝送されてＷＤＭ伝送装置２００に到達する。ＷＤＭ伝送装置２００は、このＯＳＣ信号を受信すると、図５（ａ）に示すように、ＯＳＣ信号の受信を表す通知（以下、「ＯＳＣ通知」と呼ぶことがある。）をネットワーク制御装置３００に送信する。このとき、ＷＤＭ伝送装置２００は、図４（ｄ）に示すＯＳＣ再開指示を受信した後にＷＤＭ伝送装置１００からＯＳＣ信号を受信した場合に限って、ＯＳＣ通知をネットワーク制御装置３００に送信してもよい。
【００２８】
この後、光ファイバ２０が復旧するものとする。例えば、ユーザまたはネットワーク管理者が光ファイバ２０をＷＤＭ伝送装置１００に接続する。そうすると、ＷＤＭ伝送装置２００から送信されるＯＳＣ信号は、光ファイバ２０を介してＷＤＭ伝送装置１００に到達する。ＷＤＭ伝送装置１００は、ＯＳＣ信号を受信すると、図５（ｂ）に示すように、ＯＳＣ通知をネットワーク制御装置３００に送信する。このとき、ＷＤＭ伝送装置１００は、図４（ｄ）に示すＯＳＣ再開指示を受信した後にＷＤＭ伝送装置２００からＯＳＣ信号を受信した場合に限って、ＯＳＣ通知をネットワーク制御装置３００に送信してもよい。
【００２９】
ネットワーク制御装置３００は、ＷＤＭ伝送装置１００、２００の双方からＯＳＣ通知を受信すると、図５（ｃ）に示すように、ＷＤＭ信号の送信を再開させる指示（以下、「ＷＤＭ再開指示」と呼ぶことがある。）をＷＤＭ伝送装置１００、２００に送信する。そうすると、ＷＤＭ伝送装置１００は、ＷＤＭ再開指示に応じてＷＤＭ伝送装置２００にＷＤＭ信号を送信し、ＷＤＭ伝送装置２００は、ＷＤＭ再開指示に応じてＷＤＭ伝送装置１００にＷＤＭ信号を送信する。
【００３０】
このように、ファイバ断が発生すると、ＷＤＭ伝送装置１００、２００の双方が光出力を停止する。つづいて、ネットワーク制御装置３００から与えられるＯＳＣ再開指示に応じて、ＷＤＭ伝送装置１００、２００は、それぞれＯＳＣ信号の送信を再開する。このとき、ＯＳＣ信号の光パワーは十分に小さいので、ファイバ抜けが生じている光ファイバの端部からＯＳＣ信号が出力されても問題は生じない。
【００３１】
この後、ＷＤＭ伝送装置１００、２００は、ＯＳＣ信号を検出すると、ＯＳＣ通知をネットワーク制御装置３００に送信する。ここで、ＷＤＭ伝送装置１００、２００の双方からＯＳＣ通知を受け取ったときは、ネットワーク制御装置３００は、ＷＤＭ伝送装置１００、２００間の２本の光ファイバがいずれも正常であると判定し、ＷＤＭ再開指示を生成する。そして、ネットワーク制御装置３００から与えられるＷＤＭ再開指示に応じて、ＷＤＭ伝送装置１００、２００は、それぞれＷＤＭ信号の送信を再開する。このように、光ファイバが復旧すると、正常な通信（すなわち、ＷＤＭ信号およびＯＳＣ信号が伝送される通信）が自動的に復旧する。
【００３２】
なお、図４〜図５に示すＡＰＳＤ制御では、ネットワーク制御装置３００は、ＯＳＣ信号の有無に基づいて光ファイバが復旧したか否かを判定する。換言すれば、ＯＳＣ信号の内容（すなわち、ＯＳＣ信号により伝送される情報）を利用することなく、図４〜図５に示すＡＰＳＤ制御が実現される。したがって、このＡＰＳＤ制御は、Open ROADMを採用するＷＤＭ伝送システムにも適用可能である。
【００３３】
図６（ａ）は、ＷＤＭ伝送装置の状態遷移の一例を示す。状態Ａ（NORMAL）は、ＷＤＭ伝送装置が通常に動作している状態に相当する。すなわち、状態Ａにおいては、ＷＤＭ伝送装置は、ＷＤＭ信号およびＯＳＣ信号を出力する。なお、「ＡＭＰ出力」は、ＷＤＭ信号を増幅する光アンプの状態を表す。そして、状態ＡにおいてＯＭＳ＿ＬＯＳおよびＯＳＣ＿ＬＯＳが検出されると、ＷＤＭ伝送装置の状態は「Ｂ（SHUTDOWN）」に遷移する。ＯＭＳ＿ＬＯＳは、ＷＤＭ信号帯の受信光パワーが閾値より低い状態を表す。ＯＳＣ＿ＬＯＳは、ＯＳＣの受信光パワーが閾値より低い状態、またはＯＳＣ信号が検出されたい状態に相当する。状態Ｂにおいては、ＷＤＭ伝送装置は、ＷＤＭ信号およびＯＳＣ信号の出力を停止する。
【００３４】
状態Ｂにおいてネットワーク制御装置からＯＳＣ再開指示が与えられると、ＷＤＭ伝送装置の状態は「Ｃ（TURN UP）」に遷移する。状態Ｃにおいては、ＷＤＭ伝送装置は、ＯＳＣ信号を出力するが、ＷＤＭ信号は出力しない。さらに、状態Ｃにおいてネットワーク制御装置からＷＤＭ再開指示が与えられると、ＷＤＭ伝送装置の状態は「Ａ」に戻る。
【００３５】
図６（ｂ）は、ネットワーク制御装置の状態遷移の一例を示す。状態Ｘ（NORMAL）においては、ネットワーク制御装置は、ＷＤＭ伝送装置から送信されるＡＰＳＤ通知をモニタする。そして、１組のＷＤＭ伝送装置の双方からＡＰＳＤ通知を受信すると、ネットワーク制御装置の状態は「Ｙ（SHUTDOWN）」に遷移する。
【００３６】
状態Ｙにおいて、ネットワーク制御装置は、双方のＷＤＭ伝送装置にＯＳＣ再開指示を送信する。また、ネットワーク制御装置は、ＷＤＭ伝送装置から送信されるＯＳＣ通知をモニタする。そして、双方のＷＤＭ伝送装置からＯＳＣ通知を受信すると、ネットワーク制御装置の状態は「Ｘ」に戻る。そうすると、ネットワーク制御装置は、双方のＷＤＭ伝送装置にＷＤＭ再開指示を送信する。
【００３７】
図７は、ネットワーク制御装置およびＷＤＭ伝送装置の構成の一例を示す。ネットワーク制御装置３００は、図７に示すように、制御部３１０を備える。制御部３１０は、ＷＤＭ伝送装置１００から通知信号Ｎ１２１、Ｎ１４０を受信し、ＷＤＭ伝送装置２００から通知信号Ｎ２２１、Ｎ２４０を受信する。また、制御部３１０は、通知信号Ｎ１２１、Ｎ１４０、Ｎ２２１、Ｎ２４０に基づいて、制御信号Ｃ１２１、Ｃ１４０、Ｃ２２１、Ｃ２４０を生成する。制御信号Ｃ１２１、Ｃ１４０はＷＤＭ伝送装置１００に送信され、制御信号Ｃ２２１、Ｃ２４０はＷＤＭ伝送装置２００に送信される。なお、ネットワーク制御装置３００は、図７に示していない他の機能または回路を備えていてもよい。また、通知信号Ｎ１２１、Ｎ１４０、Ｎ２２１、Ｎ２４０および制御信号Ｃ１２１、Ｃ１４０、Ｃ２２１、Ｃ２４０については後で説明する。
【００３８】
制御部３１０は、図８（ａ）に示すように、プロセッサ３１１、ＲＡＭ３１２、不揮発メモリ３１３、ネットワークインタフェース３１４により実現される。プロセッサ３１１は、不揮発メモリ３１３に格納されている制御プログラムを実行することにより、ネットワーク制御装置３００の機能を提供する。ＲＡＭ３１２は、プロセッサ３１１の作業領域として使用される。また、ＲＡＭ３１２は、ネットワーク制御装置３００が使用するデータを格納してもよい。不揮発メモリ３１３は、プロセッサ３１１により実行される制御プログラムを格納する。また、不揮発メモリ３１３は、ネットワーク制御装置３００が使用するデータを格納してもよい。ネットワークインタフェース３１４は、ネットワーク上の他の装置（例えば、ＷＤＭ伝送装置１００、２００）との間の通信のためのインタフェースを提供する。
【００３９】
ＷＤＭ伝送装置１００は、図７に示すように、制御部１１０、光アンプ１２１、合波器１２２、ＷＤＭフィルタ（ＦＩＬ）１３１、光アンプ１３２、光スプリッタ（ＳＰＬ）１３３、光モニタ１３４、ＯＳＣ送受信器１４０を備える。尚、ＷＤＭ伝送装置１００は、図７に示していない他の機能または回路を備えていないよい。
【００４０】
制御部１１０は、ネットワーク制御装置３００から制御信号Ｃ１２１、１４０を受信し、ＯＳＣ送受信器１４０からアラーム信号Ａ１４０を受信し、光モニタ１３４からパワー値信号Ｐ１３４を受信する。そして、制御部１１０は、これらの信号に基づいて制御信号Ｄ１２１、Ｄ１４０を生成する。制御信号Ｄ１２１、Ｄ１４０は、それぞれ光アンプ１２１およびＯＳＣ送受信器１４０に与えられる。なお、アラーム信号Ａ１４０、パワー値信号Ｐ１３４、制御信号Ｄ１２１、Ｄ１４０については後で説明する。
【００４１】
制御部１１０は、図８（ｂ）に示すように、プロセッサ１１１、ＲＡＭ１１２、不揮発メモリ１１３、ネットワークインタフェース１１４、Ｉ／Ｏデバイス１１５により実現される。プロセッサ１１１は、不揮発メモリ１１３に格納されている制御プログラムを実行することにより、ＷＤＭ伝送装置１００の機能を提供する。ＲＡＭ１１２は、プロセッサ１１１の作業領域として使用される。また、ＲＡＭ１１２は、ＷＤＭ伝送装置１００が使用するデータを格納してもよい。不揮発メモリ１１３は、プロセッサ１１１により実行される制御プログラムを格納する。また、不揮発メモリ１１３は、ＷＤＭ伝送装置１００が使用するデータを格納してもよい。ネットワークインタフェース１１４は、ネットワーク上の他の装置（例えば、ネットワーク制御装置３００）との間の通信のためのインタフェースを提供する。Ｉ／Ｏデバイス１１５は、ネットワーク管理者の指示を受け付けるデバイス、ＷＤＭ伝送装置１００の状態を表示するデバイスなどを含む。
【００４２】
光アンプ１２１は、入力ＷＤＭ信号を増幅する。光アンプ１２１の利得は、制御部１１０から与えられる制御信号Ｄ１２１により制御される。なお、光アンプ１２１は、ＷＤＭ信号を送信する送信部の一例である。合波器１２２は、光アンプ１２１から出力されるＷＤＭ信号およびＯＳＣ送受信器１４０により生成されるＯＳＣ信号を合波する。なお、合波器１２２は、ＷＤＭフィルタで実現してもよい。そして、合波器１２２から出力される光信号（ＷＤＭ信号およびＯＳＣ信号）は、光ファイバ１０を介してＷＤＭ伝送装置２００に伝送される。
【００４３】
ＷＤＭフィルタ１３１は、光ファイバ２０を介して受信する光信号からＷＤＭ信号およびＯＳＣ光を抽出する。光アンプ１３３は、受信ＷＤＭ信号を増幅する。光スプリッタ１３２は、受信ＷＤＭ信号を分岐して光モニタ１３４に導く。光モニタ１３４は、受信ＷＤＭ信号の光パワーをモニタする。そして、光モニタ１３４は、受信ＷＤＭ信号の光パワーを表すパワー値信号Ｐ１３４を生成する。このパワー値信号Ｐ１３４は、制御部１１０に送られる。
【００４４】
ＯＳＣ送受信器１４０は、ＯＳＣ送信器およびＯＳＣ受信器を含む。ＯＳＣ送信器は、ＯＳＣ信号を生成して出力する。なお、ＯＳＣ送信器は、制御信号を送信する制御信号送信部の一例である。ＯＳＣ受信器は、ＷＤＭフィルタ１３１により受信光信号から抽出されたＯＳＣ光を受信する。そして、ＯＳＣ受信器は、受信ＯＳＣ光のパワーをモニタする機能、および受信ＯＳＣ光が所定のＯＳＣフレームを伝送しているか否かを判定する機能を備える。すなわち、ＯＳＣ受信器は、ＷＤＭ伝送装置がＯＳＣ信号を受信したか否かを判定できる。なお、ＯＳＣ受信器は、他のＷＤＭ伝送装置から受信する制御信号をモニタする制御信号モニタの一例である。
【００４５】
ＯＳＣ送受信器１４０は、制御部１１０から与えられる制御信号Ｄ１４０に従って、ＯＳＣ信号を停止することがある。また、ＯＳＣ送受信器１４０は、ＯＳＣ信号を検出したか否かを表すアラーム信号Ａ１４０を生成する。アラーム信号Ａ１４０は、制御部１１０に送られる。
【００４６】
ＷＤＭ伝送装置２００は、図７に示すように、制御部２１０、光アンプ２２１、合波器２２２、ＷＤＭフィルタ２３１、光アンプ２３２、光スプリッタ２３３、光モニタ２３４、ＯＳＣ送受信器２４０を備える。なお、ＷＤＭ伝送装置２００の構成および動作は、ＷＤＭ伝送装置１００と実質的に同じなので、説明を省略する。
【００４７】
＜ファイバ断検出＞
以下の記載では、ＷＤＭ伝送装置１００においてファイバ断検出が実行されるものとする。ただし、ＷＤＭ伝送装置２００は、ＷＤＭ伝送装置１００と実質的に同じ処理を実行することができる。なお、ファイバ断検出は、例えば、所定の時間間隔で実行される。
【００４８】
ＯＳＣ送受信器１４０は、ＯＳＣ信号をモニタする。具体的には、ＯＳＣ送受信器１４０は、ＷＤＭフィルタ１３１から導かれてくるＯＳＣ光のパワーと所定の閾値とを比較する。そして、ＯＳＣ光のパワーが閾値より低ければ、ＯＳＣ送受信器１４０は、ＷＤＭ伝送装置１００にＯＳＣ信号が到着していないと判定し、アラーム信号Ａ１４０を「１」に更新する。あるいは、ＯＳＣ送受信器１４０は、ＯＳＣ光を復調し、所定のフォーマットのＯＳＣフレームが検出されるか否かをモニタしてもよい。この場合、ＯＳＣフレームが検出されないときに、アラーム信号Ａ１４０が「１」に更新される。なお、ＯＳＣ光のパワーが閾値以上である場合（あるいは、ＯＳＣフレームが検出された場合）は、アラーム信号Ａ１４０は「０」のまま保持される。
【００４９】
光モニタ１３４は、ＷＤＭ信号の光パワーをモニタする。そして、光モニタ１３４は、受信ＷＤＭ信号の光パワーを表すパワー値信号Ｐ１３４を生成する。
【００５０】
図９は、ファイバ断検出処理の一例を示すフローチャートである。このフローチャートは、制御部１１０により所定の時間間隔で実行される。
【００５１】
Ｓ１１において、制御部１１０は、制御部１１０に内蔵されているメモリから閾値ＴＨを読み出す。Ｓ１２において、制御部１１０は、ＯＳＣ送受信器１４０からアラーム信号Ａ１４０を取得する。Ｓ１３において、制御部１１０は、光モニタ１３４により生成されるパワー値信号Ｐ１３４と閾値ＴＨとを比較する。Ｓ１４において、制御部１１０は、アラーム信号Ａ１４０が「１」であるか否かを判定する。そして、パワー値信号Ｐ１３４が閾値ＴＨより低く、且つ、アラーム信号Ａ１４０が「１」である場合、制御部１１０は、Ｓ１５において、ファイバ断が発生していると判定する。すなわち、受信ＷＤＭ信号の光パワーが閾値ＴＨより低く、且つ、ＯＳＣ信号が検出されないときに、ファイバ断が発生していると判定される。他のケースでは、制御部１１０は、Ｓ１６において、ファイバ断が発生していないと判定する。
【００５２】
上述のように、ファイバ断は、ＷＤＭ信号およびＯＳＣ信号の光パワーに基づいて検出される。このため、光ファイバが正常にＷＤＭ伝送装置に接続されていても、対向ＷＤＭ伝送装置が光出力を停止したときは「ファイバ断」が検出される。したがって、図９に示すフローチャートは、実質的には、ＷＤＭ伝送装置の入力光ポートに光が到着しているか否かを判定する。
【００５３】
＜シャットダウン＞
図７および図１０を参照しながらシャットダウン手順およびシャットダウン解除手順について記載する。ここでは、ＷＤＭ伝送装置１００においてシャットダウン手順およびシャットダウン解除手順が実行されるものとする。ただし、ＷＤＭ伝送装置２００は、ＷＤＭ伝送装置１００と実質的に同じ処理を実行することができる。
【００５４】
制御信号Ｃ１２１は、ＷＤＭ信号の送信を制御する。「Ｃ１２１＝１」はＷＤＭ信号の送信を表し、「Ｃ１２１＝０」はＷＤＭ信号の停止を表す。制御信号Ｃ１４０は、ＯＳＣ信号の送信を制御する。「Ｃ１４０＝１」はＯＳＣ信号の送信を表し、「Ｃ１４０＝０」はＯＳＣ信号の停止を表す。
【００５５】
制御信号Ｄ１２１は、ＷＤＭ伝送装置１００内でＷＤＭ信号の送信を制御する。「Ｄ１２１＝１」はＷＤＭ信号の送信を表し、「Ｄ１２１＝０」はＷＤＭ信号の停止を表す。制御信号Ｄ１４０は、ＷＤＭ伝送装置１００内でＯＳＣ信号の送信を制御する。「Ｄ１４０＝１」はＯＳＣ信号の送信を表し、「Ｄ１４０＝０」はＯＳＣ信号の停止を表す。
【００５６】
通常運用状態（状態Ａ）においては、制御部１１０は、制御信号Ｄ１２１として「１」を出力し、制御信号Ｄ１４０として「１」を出力する。そうすると、光アンプ１２１はＷＤＭ信号を増幅し、ＯＳＣ送受信器１４０はＯＳＣ信号を生成する。すなわち、ＷＤＭ伝送装置１００は、ＷＤＭ伝送装置２００にＷＤＭ信号およびＯＳＣ信号を送信する。
【００５７】
ファイバ断が検出されると、ＷＤＭ伝送装置１００の動作状態は、通常運用状態からシャットダウン状態（状態Ｂ）へ遷移する。シャットダウン状態においては、制御部１１０は、制御信号Ｄ１２１として「０」を出力し、制御信号Ｄ１４０として「０」を出力する。そうすると、光アンプ１２１はＷＤＭ信号の出力を停止し、ＯＳＣ送受信器１４０はＯＳＣ信号の出力を停止する。すなわち、ＷＤＭ伝送装置１００は、ＷＤＭ信号およびＯＳＣ信号の送信を停止する。
【００５８】
ネットワーク制御装置３００からＯＳＣ信号の再開を指示する制御信号Ｃ１４０（すなわち、Ｃ１４０＝１）を受信すると、ＷＤＭ伝送装置１００の動作状態は、シャットダウン状態から復旧待ち状態（状態Ｃ）へ遷移する。復旧待ち状態においては、制御部１１０は、制御信号Ｄ１２１として「０」を出力し、制御信号Ｄ１４０として「１」を出力する。そうすると、ＯＳＣ送受信器１４０はＯＳＣ信号の送信を再開する。すなわち、ＷＤＭ伝送装置１００は、ＯＳＣ信号を送信する。ただし、ＷＤＭ信号は送信されない。
【００５９】
ネットワーク制御装置３００からＷＤＭ信号の再開を指示する制御信号Ｃ１２１（すなわち、Ｃ１２１＝１）を受信すると、ＷＤＭ伝送装置１００の動作状態は、復旧待ち状態から通常運用状態へ遷移する。すなわち、ＷＤＭ伝送装置１００は、ＷＤＭ信号およびＯＳＣ信号を送信する。
【００６０】
＜状態通知＞
以下の記載では、ＷＤＭ伝送装置１００が自分の状態をネットワーク制御装置３００に通知する。ただし、ＷＤＭ伝送装置２００は、ＷＤＭ伝送装置１００と実質的に同じ処理を実行することができる。
【００６１】
通知信号Ｎ１２１は、光アンプ１２１の状態を表す。すなわち、通知信号Ｎ１２１は、ＷＤＭ信号を送信するか否かを表す。通知信号Ｎ１４０は、ＯＳＣ信号を送信するか否かを表す。
【００６２】
図１１は、ＷＤＭ伝送装置の状態をネットワーク制御装置に通知する方法の一例を示すフローチャートである。Ｓ２１において、ＷＤＭ伝送装置１００は、制御信号Ｄ１２１およびアラーム信号Ａ１４０に応じてそれぞれ通知信号Ｎ１２１および通知信号Ｎ１４０を生成する。具体的には、制御信号Ｄ１２１に従ってＷＤＭ信号が送信されるときは、制御部１１０は、通知信号Ｎ１２１を「１」に設定する。制御信号Ｄ１２１に従ってＷＤＭ信号が停止されるときは、制御部１１０は、通知信号Ｎ１２１を「０」に設定する。また、制御部１１０は、ＯＳＣ送受信器１４０により生成されるアラーム信号Ａ１４０に基づいてＯＳＣ信号が検出されているか否かを判定する。そして、ＯＳＣ送受信器１４０がＯＳＣ信号を検出できないときは、制御部１１０は、通知信号Ｎ１４０を「１」に設定する。ＯＳＣ送受信器１４０がＯＳＣ信号を検出しているときは、制御部１１０は、通知信号Ｎ１４０を「０」に設定する。そして、制御部１１０は、Ｓ２２において、生成した通知信号Ｎ１２１、Ｎ１４０をネットワーク制御装置３００に送信する。
【００６３】
＜ネットワーク制御装置＞
ネットワーク制御装置３００は、ＷＤＭ伝送装置１００から通知信号Ｎ１２１、１４０を受信し、ＷＤＭ伝送装置２００から通知信号Ｎ２２１、２４０を受信する。そして、ネットワーク制御装置３００は、これらの通知信号に基づいて制御信号Ｃ１２１、１４０、２２１、２４０を生成する。
【００６４】
通常運用状態（状態Ｘ）においては、図１２に示すように、制御部３１０は「Ｃ１２１＝１（ＷＤＭ信号の送信）」「Ｃ１４０＝１（ＯＳＣ信号の送信）」「Ｃ２２１＝１（ＷＤＭ信号の送信）」「Ｃ２４０＝１（ＯＳＣ信号の送信）」を出力する。そうすると、ＷＤＭ伝送装置１００は、制御信号Ｃ１２１、１４０に基づいて、ＷＤＭ信号およびＯＳＣ信号を送信する。同様に、ＷＤＭ伝送装置２００は、制御信号Ｃ２２１、２４０に基づいて、ＷＤＭ信号およびＯＳＣ信号を送信する。
【００６５】
ＷＤＭ伝送装置１００から「Ｎ１２１＝０（ＷＤＭ信号の停止）」を受信し、且つ、ＷＤＭ伝送装置２００から「Ｎ２２１＝０（ＷＤＭ信号の停止）」を受信すると、制御部３１０の制御状態は、通常運用状態からシャットダウン状態（状態Ｙ）に遷移する。シャットダウン状態においては、制御部３１０は、「Ｃ１２１＝０（ＷＤＭ信号の停止）」「Ｃ１４０＝１（ＯＳＣ信号の送信）」「Ｃ２２１＝０（ＷＤＭ信号の停止）」「Ｃ２４０＝１（ＯＳＣ信号の送信）」を出力する。そうすると、ＷＤＭ伝送装置１００は、制御信号Ｃ１２１に基づいてＷＤＭ信号を停止する。同様に、ＷＤＭ伝送装置２００は、制御信号Ｃ２２１に基づいてＷＤＭ信号を停止する。ただし、ＷＤＭ伝送装置１００、２００は、それぞれＯＳＣ信号を送信する。
【００６６】
ＷＤＭ伝送装置１００から「Ｎ１４０＝１（ＯＳＣ信号の受信）」を受信し、且つ、ＷＤＭ伝送装置２００から「Ｎ２４０＝１（ＯＳＣ信号の受信）」を受信すると、制御部３１０の制御状態は、シャットダウン状態から通常運用状態に遷移する。
【００６７】
＜実施例＞
図１３は、ＷＤＭ伝送装置およびネットワーク制御装置の機能ブロックの一例を示す。なお、図１３に示す光ブロックは、図７に示す光アンプ（１２１、２２１）、合波器（１２２、２２２）、ＷＤＭフィルタ（１３１、２３１）、光アンプ（１３２、２３２）、光スプリッタ（１３３、２３３）、光モニタ（１３４、２３４）、及びＯＳＣ送受信器（１４０、２４０）に相当する。
【００６８】
ＷＤＭ伝送装置１００において、制御部１１０は、ＯＳＣ断検出部１１７、ファイバ断検出部１１８、シャットダウン制御部１１９を備える。ＯＳＣ断検出部１１７は、ＯＳＣ送受信器１４０により生成されるアラーム信号Ａ１４０に基づいて、ＯＳＣ断が発生しているか否かを判定する。ＯＳＣ断は、ＯＳＣ光のパワーの所定の閾値より低い状態、またはＯＳＣフレームが検出されない状態に相当する。そして、ＯＳＣ断検出部１１７は、判定結果をファイバ断検出部１１８に通知する。また、この判定結果は、通知信号Ｎ１４０としてネットワーク制御装置３００に送信される。
【００６９】
ファイバ断検出部１１８は、光モニタ１３４により生成されるパワー値信号Ａ１３４およびＯＳＣ断検出部１１７による判定結果に基づいて、ファイバ断が発生しているか否かを判定する。ファイバ断は、図９を参照しながら説明したように、ＷＤＭ信号の光パワーが閾値ＴＨより低く、且つ、ＯＳＣ断が発生したときに検出される。そして、ファイバ断検出部１１８は、判定結果をシャットダウン制御部１１９に通知する。
【００７０】
シャットダウン制御部１１９は、ファイバ断検出部１１８からファイバ断の発生を表す信号を受信すると、制御信号Ｄ１２１を用いて光アンプ１２１の出力を停止し、制御信号Ｄ１４０を用いてＯＳＣ信号の送信を停止する。また、シャットダウン制御部１１９は、ネットワーク制御装置３００から与えられる制御信号Ｃ１２１に基づいて、光アンプ１２１を制御する制御信号Ｄ１２１を生成する。さらに、シャットダウン制御部１１９は、ネットワーク制御装置３００から与えられる制御信号Ｃ１４０に基づいて、ＯＳＣ送受信器１４０を制御する制御信号Ｄ１４０を生成する。
【００７１】
ＷＤＭ伝送装置２００において、制御部２１０は、ＯＳＣ断検出部２１７、ファイバ断検出部２１８、シャットダウン制御部２１９を備える。ＯＳＣ断検出部２１７、ファイバ断検出部２１８、およびシャットダウン制御部２１９の機能は、それぞれＯＳＣ断検出部１１７、ファイバ断検出部１１８、およびシャットダウン制御部１１９と実質的に同じなので、説明を省略する。
【００７２】
ネットワーク制御装置３００において、制御部３１０は、ファイバ断検出部３１８およびファイバ復旧検出部３１９を備える。ファイバ断検出部３１８は、通知信号Ｎ１２１、Ｎ２２１に基づいて制御信号Ｃ１４０、Ｃ２４０を生成する。具体的には、ファイバ断検出部３１８は、ＷＤＭ伝送装置１００、２００の双方からシャットダウン状態を表す通知信号（Ｎ１２１、Ｎ２２１）を受信すると、ＯＳＣ信号の送信の再開する指示する制御信号（Ｃ１４０、Ｃ２４０）をＷＤＭ伝送装置１００、２００に送信する。
【００７３】
ファイバ復旧検出部３１９は、通知信号Ｎ１４０、Ｎ２４０に基づいて制御信号Ｃ１２１、Ｃ２２１を生成する。具体的には、ファイバ復旧検出部３１９は、ＷＤＭ伝送装置１００、２００の双方からＯＳＣの受信を表す通知信号（Ｎ１４０、Ｎ２４０）を受信すると、ＷＤＭ信号の送信の再開する指示する制御信号（Ｃ１２１、Ｃ２２１）をＷＤＭ伝送装置１００、２００に送信する。
【００７４】
なお、ファイバ断検出部３１８は、制御信号としてのＯＳＣ信号の送信を再開させる指示をＷＤＭ伝送装置１００およびＷＤＭ伝送装置２００に送信する第１の制御部の一例である。また、ファイバ復旧検出部３１９は、主信号としてのＷＤＭ信号の送信を再開させる指示をＷＤＭ伝送装置１００およびＷＤＭ伝送装置２００に送信する第２の制御部の一例である。
【００７５】
図１４は、ファイバ断が発生したときのシーケンスを示すフローチャートである。ここでは、ＷＤＭ伝送装置２００からＷＤＭ伝送装置１００に光信号を伝送する光ファイバ２０がＷＤＭ伝送装置１００の入力ポートから抜けたものとする。なお、光ファイバ２０のファイバ断が発生すると、ＷＤＭ伝送装置１００において、ＯＳＣ信号が検出されないことを表すアラーム信号Ａ１４０が生成される。
【００７６】
Ｓ３１：ＷＤＭ伝送装置１００において、ＯＳＣ断検出部１１７は、アラーム信号Ａ１４０に基づいて、ＷＤＭ伝送装置１００にＯＳＣ信号が到着していないことを検出する。すなわち、ＯＳＣ断検出部１１７は、ＯＳＣ断が発生していると判定する。この判定結果は、ファイバ断検出部１１８に通知される。
【００７７】
Ｓ３２：ＷＤＭ伝送装置１００において、ファイバ断検出部１１８は、光モニタ１３４により生成されるパワー値信号Ａ１３４およびＯＳＣ断検出部１１７による判定結果に基づいて、ファイバ断が発生しているか否かを判定する。この例では、ＷＤＭ信号の光パワーが閾値ＴＨより低く、且つ、ＯＳＣ断が発生している。この場合、ファイバ断検出部１１８は、光ファイバ２０のファイバ断が発生していると判定する。この判定結果は、シャットダウン制御部１１９に通知される。
【００７８】
Ｓ３３：ＷＤＭ伝送装置１００において、シャットダウン制御部１１９は、光ファイバ２０のファイバ断が発生していることを表す判定結果を受け取ると、ＷＤＭ信号およびＯＳＣ信号を停止する。具体的には、シャットダウン制御部１１９は、制御信号Ｄ１２１を用いて光アンプ１２１の出力を停止することでＷＤＭ信号の送信を停止する。また、シャットダウン制御部１１９は、制御信号Ｄ１４０を用いてＯＳＣ送受信器１４０に指示を与えることでＯＳＣ信号の送信を停止する。
【００７９】
Ｓ３４：ＷＤＭ伝送装置１００において、シャットダウン制御部１１９は、通知信号Ｎ１２１を用いて、ＷＤＭ伝送装置１００がシャットダウン状態に遷移したことネットワーク制御装置３００に通知する。この後、制御部１１０は、ネットワーク制御装置３００から与えられる指示を待ち受ける。
【００８０】
このように、Ｓ３１〜Ｓ３４において、ＷＤＭ伝送装置１００は、ＷＤＭ信号およびＯＳＣ信号の送信を停止する。よって、ＷＤＭ伝送装置２００は、ＷＤＭ伝送装置１００からＷＤＭ信号およびＯＳＣ信号を受信できない。すなわち、ＷＤＭ伝送装置１００のシャットダウンは、ＷＤＭ伝送装置２００にとっては、光ファイバ１０のファイバ断と等価である。したがって、ＷＤＭ伝送装置２００は、Ｓ３５〜Ｓ３８において、Ｓ３１〜Ｓ３４と同等な処理を実行する。
【００８１】
Ｓ３５：ＷＤＭ伝送装置２００において、ＯＳＣ断検出部２１７は、アラーム信号Ａ２４０に基づいて、ＷＤＭ伝送装置２００にＯＳＣ信号が到着していないことを検出する。すなわち、ＯＳＣ断検出部２１７は、ＯＳＣ断が発生していると判定する。この判定結果は、ファイバ断検出部２１８に通知される。
【００８２】
Ｓ３６：ＷＤＭ伝送装置２００において、ファイバ断検出部２１８は、光モニタ２３４により生成されるパワー値信号Ａ２３４およびＯＳＣ断検出部２１７による判定結果に基づいて、ファイバ断が発生しているか否かを判定する。この例では、ＷＤＭ信号の光パワーが閾値ＴＨより低く、且つ、ＯＳＣ断が発生している。この場合、ファイバ断検出部２１８は、光ファイバ１０のファイバ断が発生していると判定する。この判定結果は、シャットダウン制御部２１９に通知される。
【００８３】
Ｓ３７：ＷＤＭ伝送装置２００において、シャットダウン制御部２１９は、光ファイバ１０のファイバ断が発生していることを表す判定結果を受け取ると、ＷＤＭ信号およびＯＳＣ信号を停止する。具体的には、シャットダウン制御部２１９は、制御信号Ｄ２２１を用いて光アンプ２２１の出力を停止することでＷＤＭ信号の送信を停止する。また、シャットダウン制御部２１９は、制御信号Ｄ２４０を用いてＯＳＣ送受信器２４０に指示を与えることでＯＳＣ信号の送信を停止する。
【００８４】
Ｓ３８：ＷＤＭ伝送装置２００において、シャットダウン制御部２１９は、通知信号Ｎ２２１を用いて、ＷＤＭ伝送装置２００がシャットダウン状態に遷移したことネットワーク制御装置３００に通知する。この後、制御部２１０は、ネットワーク制御装置３００から与えられる指示を待ち受ける。
【００８５】
Ｓ３９：ネットワーク制御装置３００において、ファイバ断検出部３１８は、ＷＤＭ伝送装置１００から受信する通知信号Ｎ１２１およびＷＤＭ伝送装置２００から受信する通知信号Ｎ２２１に基づいて、制御信号Ｃ１４０、Ｃ２４０を生成する。この例では、ＷＤＭ伝送装置１００、２００の双方からシャットダウン状態を表す通知信号を受信するので、ファイバ断検出部３１８は、ＯＳＣ信号の送信再開を指示する制御信号Ｃ１４０、Ｃ２４０をそれぞれＷＤＭ伝送装置１００、２００に送信する。
【００８６】
Ｓ４０：ＷＤＭ伝送装置１００において、シャットダウン制御部１１９は、ＯＳＣ信号の送信再開を指示する制御信号Ｃ１４０をネットワーク制御装置３００から受信する。そうすると、シャットダウン制御部１１９は、制御信号Ｄ１４０を用いてＯＳＣ送受信器１４０にＯＳＣ信号を送信させる。これにより、ＷＤＭ伝送装置１００は、ＯＳＣ信号をＷＤＭ伝送装置２００に送信する。
【００８７】
Ｓ４１：ＷＤＭ伝送装置２００において、シャットダウン制御部２１９は、ＯＳＣ信号の送信再開を指示する制御信号Ｃ２４０をネットワーク制御装置３００から受信する。そうすると、シャットダウン制御部２１９は、制御信号Ｄ２４０を用いてＯＳＣ送受信器２４０にＯＳＣ信号を送信させる。これにより、ＷＤＭ伝送装置２００は、ＯＳＣ信号をＷＤＭ伝送装置１００に送信する。
【００８８】
ここで、ＷＤＭ伝送装置２００は、ＷＤＭ伝送装置１００から送信されるＯＳＣ信号を受信する。このＯＳＣ信号は、ＷＤＭ伝送装置２００において、ＯＳＣ送受信器２４０に導かれる。そうすると、ＯＳＣ送受信器２４０は、アラーム信号Ａ２４０を「１（ＯＳＣ信号なし）」から「０（ＯＳＣ信号あり）」に変更する。
【００８９】
Ｓ４２：ＷＤＭ伝送装置２００において、ＯＳＣ断検出部２１７は、アラーム信号Ａ２４０に基づいて、ＷＤＭ伝送装置２００がＯＳＣ信号を受信したことを検出する。即ち、ＯＳＣ断検出部２１７は、ＯＳＣが復旧したと判定する。そして、ＯＳＣ断検出部２１７は、この判定結果を表す通知信号Ｎ２４０をネットワーク制御装置３００に送信する。
【００９０】
なお、上述したように、ＷＤＭ伝送装置２００は、Ｓ４１において、ＷＤＭ伝送装置１００にＯＳＣ信号を送信する。ところが、この時点では未だ、光ファイバ２０は復旧していない。このため、ＷＤＭ伝送装置１００は、ＷＤＭ伝送装置２００から送信されるＯＳＣ信号を受信できない。よって、ＷＤＭ伝送装置１００においては、アラーム信号Ａ２４０は「１（ＯＳＣ信号なし）」のままである。
【００９１】
図１５は、光ファイバが復旧したときのシーケンスを示すフローチャートである。ここで、このシーケンスは、図１４に示すシーケンスの後に実行されるものとする。即ち、ＷＤＭ伝送装置１００、２００は、それぞれ、ＯＳＣ信号を送信しているが、ＷＤＭ信号は送信していない。そして、ユーザまたはネットワーク管理者は、手作業により、光ファイバ２０を復旧させるものとする。
【００９２】
光ファイバ２０が復旧すると、ＷＤＭ伝送装置１００は、ＷＤＭ伝送装置２００から送信されるＯＳＣ信号を受信する。このＯＳＣ信号は、ＷＤＭ伝送装置１００において、ＯＳＣ送受信器１４０に導かれる。そうすると、ＯＳＣ送受信器１４０は、アラーム信号Ａ２４０を「１（ＯＳＣ信号なし）」から「０（ＯＳＣ信号あり）」に変更する。
【００９３】
Ｓ５１：ＷＤＭ伝送装置１００において、ＯＳＣ断検出部１１７は、アラーム信号Ａ１４０に基づいて、ＷＤＭ伝送装置１００がＯＳＣ信号を受信したことを検出する。即ち、ＯＳＣ断検出部１１７は、ＯＳＣが復旧したと判定する。そして、ＯＳＣ断検出部１１７は、この判定結果を表す通知信号Ｎ１４０をネットワーク制御装置３００に送信する。
【００９４】
Ｓ５２：ネットワーク制御装置３００において、ファイバ復旧検出部３１９は、ＷＤＭ伝送装置１００から受信する通知信号Ｎ１４０およびＷＤＭ伝送装置２００から受信する通知信号Ｎ２４０に基づいて、制御信号Ｃ１２１、Ｃ２２１を生成する。この例では、ＷＤＭ伝送装置１００、２００の双方からＯＳＣ信号の受信を表す通知信号を受信するので、ファイバ復旧検出部３１９は、ＷＤＭ信号の送信再開を指示する制御信号Ｃ１２１、Ｃ２２１をそれぞれＷＤＭ伝送装置１００、２００に送信する。
【００９５】
Ｓ５３：ＷＤＭ伝送装置１００において、シャットダウン制御部１１９は、ＷＤＭ信号の送信再開を指示する制御信号Ｃ１２１をネットワーク制御装置３００から受信する。そうすると、シャットダウン制御部１１９は、制御信号Ｄ１２１を用いて光アンプ１２１にＷＤＭ信号を出力させる。これにより、ＷＤＭ伝送装置１００は、ＷＤＭ信号をＷＤＭ伝送装置２００に送信する。
【００９６】
Ｓ５４：ＷＤＭ伝送装置２００において、シャットダウン制御部２１９は、ＷＤＭ信号の送信再開を指示する制御信号Ｃ２２１をネットワーク制御装置３００から受信する。そうすると、シャットダウン制御部２１９は、制御信号Ｄ２２１を用いて光アンプ２２１にＷＤＭ信号を出力させる。これにより、ＷＤＭ伝送装置２００は、ＷＤＭ信号をＷＤＭ伝送装置１００に送信する。
【００９７】
このように、ＷＤＭ伝送装置１００、２００間の光ファイバが復旧すると、自動的に、ＷＤＭ伝送装置１００、２００間でのＷＤＭ信号の伝送が再開する。このとき、ＯＳＣ信号の内容（すなわち、ＯＳＣ信号により伝送される情報）を利用することなく、自動パワーシャットダウン制御および自動パワーシャットダウン解除制御を含む安全光制御が実現される。よって、この安全光制御は、Open ROADMを採用するＷＤＭ伝送システムにも適用可能である。
【００９８】
図１６は、ＷＤＭ伝送装置１００、２００とネットワーク制御装置３００との間の接続の一例を示す。この例では、ＷＤＭ伝送装置１００は、Ｌ２スイッチおよびルータを介してネットワーク制御装置３００に接続される。また、ＷＤＭ伝送装置２００も、Ｌ２スイッチおよびルータを介してネットワーク制御装置３００に接続される。同様に、ネットワーク制御装置３００は、Ｌ２スイッチおよびルータを介して各ＷＤＭ伝送装置（すなわち、ＷＤＭ伝送装置１００、２００）に接続される。
【００９９】
ＷＤＭ伝送装置１００とＬ２スイッチとの間、ＷＤＭ伝送装置２００とＬ２スイッチとの間、ネットワーク制御装置３００とＬ２スイッチとの間は、それぞれ、ＬＡＮケーブルまたは光ファイバにより接続される。Ｌ２スイッチとルータとの間は、それぞれ、ＬＡＮケーブルまたは光ファイバにより接続される。ルータ間の接続は、それぞれ、ＬＡＮケーブルまたは光ファイバにより実現される。
【０１００】
ＷＤＭ伝送装置１００、２００間は、光ファイバにより接続される。なお、ＷＤＭ伝送装置１００、２００間は、ＷＤＭ伝送装置１００からＷＤＭ伝送装置２００に光信号を伝送する第１の光ファイバおよびＷＤＭ伝送装置２００からＷＤＭ伝送装置１００に光信号を伝送する第２の光ファイバで接続されてもよい。或いは、ＷＤＭ伝送装置１００、２００間は、ＷＤＭ伝送装置１００とＷＤＭ伝送装置２００との間で双方向に光信号を伝送する光ファイバで接続されてもよい。
【０１０１】
ＷＤＭ伝送装置１００、２００は、ＣバンドまたはＬバンドを使用して光信号を伝送する。Ｃバンドが使用される場合は、例えば、制御信号としてのＯＳＣ信号の波長は1511nmであり、主信号としてのＷＤＭ信号の波長帯は、1528.77〜1566.72nmである。また、Ｌバンドが使用される場合は、例えば、ＯＳＣ信号の波長は1531nmであり、ＷＤＭ信号の波長帯は1570.42〜1610.49nmである。ＯＳＣ信号の信号レートは、例えば、100Mbps、155Mbps、1Gbpsである。また、ＷＤＭ信号の各波長チャネルの信号レートは、例えば、100Gbps、200Gbpsである。
【０１０２】
上述の実施例を含む実施形態に関し、さらに下記の発明を開示する。
第１の光伝送装置と、第２の光伝送装置と、前記第１の光伝送装置および前記第２の光伝送装置を制御するネットワーク制御装置とを備える光伝送システムにおいてＷＤＭ信号を伝送する光伝送方法であって、
前記第１の光伝送装置は、第１のＷＤＭ信号を送信する第１の送信部と、第１の制御信号を送信する第１の制御信号送信部と、を備え、
前記第２の光伝送装置は、第２のＷＤＭ信号を送信する第２の送信部と、第２の制御信号を送信する第２の制御信号送信部と、を備え、
前記第１の光伝送装置と前記第２の光伝送装置との間には、前記第１の光伝送装置から前記第２の光伝送装置に前記第１のＷＤＭ信号および前記第１の制御信号を伝送する第１の光ファイバ、および前記第２の光伝送装置から前記第１の光伝送装置に前記第２のＷＤＭ信号および前記第２の制御信号を伝送する第２の光ファイバが設けられ、
前記第１の光伝送装置において、前記第２のＷＤＭ信号のパワーが所定の閾値より低く、且つ、前記第２の制御信号が検出されないときは、前記第１の光伝送装置は、前記第１のＷＤＭ信号および前記第１の制御信号の送信を停止し、第１の通知を前記ネットワーク制御装置に送信し、
前記第２の光伝送装置において、前記第１のＷＤＭ信号のパワーが所定の閾値より低く、且つ、前記第１の制御信号が検出されないときは、前記第２の光伝送装置は、前記第２のＷＤＭ信号および前記第２の制御信号の送信を停止し、第２の通知を前記ネットワーク制御装置に送信し、
前記ネットワーク制御装置は、前記第１の通知および前記第２の通知を受信すると、前記第１の光伝送装置に第１の指示を送信すると共に、前記第２の光伝送装置に第２の指示を送信し、
前記第１の光伝送装置は、前記第１の指示を受信すると、前記第１の制御信号の送信を再開し、
前記第２の光伝送装置は、前記第２の指示を受信すると、前記第２の制御信号の送信を再開し、
前記第１の光伝送装置において前記第２の制御信号が検出されると、前記第１の光伝送装置は、第３の通知を前記ネットワーク制御装置に送信し、
前記第２の光伝送装置において前記第１の制御信号が検出されると、前記第２の光伝送装置は、第４の通知を前記ネットワーク制御装置に送信し、
前記ネットワーク制御装置は、前記第３の通知および前記第４の通知を受信すると、前記第１の光伝送装置に第３の指示を送信すると共に、前記第２の光伝送装置に第４の指示を送信し、
前記第１の光伝送装置は、前記第３の指示を受信すると、前記第１のＷＤＭ信号の送信を再開し、
前記第２の光伝送装置は、前記第４の指示を受信すると、前記第２のＷＤＭ信号の送信を再開する。
【符号の説明】
【０１０３】
１０、２０  光ファイバ
１００、２００  ＷＤＭ伝送装置
１１０、２１０  制御部
１１７、２１７  ＯＳＣ断検出部
１１８、２１８  ファイバ断検出部
１１９、２１９  シャットダウン制御部
１２１、２２１  光アンプ
１２２、２２２  合波器
１３１、２３１  ＷＤＭフィルタ
１３２、２３２  光アンプ
１３３、２３３  光スプリッタ
１３４、２３４  光モニタ
１４０、２４０  ＯＳＣ送受信器
３００  ネットワーク制御装置
３１０  制御部
３１８  ファイバ断検出部
３１９  ファイバ復旧検出部
１０００  光伝送システム
【図１】
2020088547.tif 000003
【図２】
2020088547.tif 000004
【図３】
2020088547.tif 000005
【図４】
2020088547.tif 000006
【図５】
2020088547.tif 000007
【図６】
2020088547.tif 000008
【図７】
2020088547.tif 000009
【図８】
2020088547.tif 000010
【図９】
2020088547.tif 000011
【図１０】
2020088547.tif 000012
【図１１】
2020088547.tif 000013
【図１２】
2020088547.tif 000014
【図１３】
2020088547.tif 000015
【図１４】
2020088547.tif 000016
【図１５】
2020088547.tif 000017
【図１６】
2020088547.tif 000018